(57)【要約】【課題】  台形状クッションを３個並べた板状連結帯からその折代部分を捻って折り曲げることで、簡単に三角形状をして中央部分に三角形状空間を持ったクッションを提供する。【解決手段】  中芯ピースを３個、隣接するピースの台形部が互いにかみ合うように配置し、各ピース間に表布のみからなる折代をもたせてこれら全てを表布を上下から縫い込んで１本の板状連結帯を構成し、この連結帯を中芯ピース相互間に設けた折代部分で捻って同じ向きに折り曲げ、中央部に三角状空間を備えた三角形状として、連結帯の重なる左右両端の重ね代相互を止め具で一体化させたクッション。【選択図】図４
2010172516.tif 000002
【特許請求の範囲】
【請求項１】
台形状の中芯ピースを３個、隣接する中芯ピースの台形部が互いにかみ合うように配置し、各ピース間に表布のみからなる折代をもたせてこれら全ての中芯ピースを表布を上下から縫い込んで１本の板状連結帯を構成し、この連結帯を中芯ピース相互間に設けた折代部分で捻って同じ向きに折り曲げ、中央部に三角状空間を備えた三角形状として、連結帯の重なる左右両端の重ね代相互を止め具で一体化させたクッション。
【請求項２】
各台形状の中芯ピースは、表布で上下から覆われ、各中芯ピース間が表布のみからなる縫い目部分で区切られている請求項１記載のクッション。
【請求項３】
連結帯の左右両端部に設けた止め具は、中芯ピースの厚みの中央部に形成された表布のみからなる縫込み重ね代にアメリカンホックの雄、雌金具からなる請求項１記載のクッション。
【発明の詳細な説明】
【技術分野】
【０００１】
本発明は、身の回りで広く用いられているクッションに関するものであり、より詳しくは３個の台形状をした中芯ピースを交互に逆向きとして一列状態に並べ、これら中芯ピースを表布で覆ってその周囲を縫い込んだ１本の板状連結帯とし、その中芯ピースの境目の折代部分で捻って同じ向きに折り曲げて形成される三角形状のクッションに関するものである。
【背景技術】
【０００２】
本発明者は、先に長方形の袋に中綿を入れてこれを台形が交互に逆向きとなるようミシンで縫いこみ、この縫込みに沿って折り曲げたほぼ四角形のクッションを提案した（特許文献１）。また加熱用の遠赤外線源を持った四角形の座布団（特許文献２）や
六角形のクッション（特許文献３）も知られている。
【先行技術文献】
【特許文献】
【０００３】
【特許文献１】意匠登録第１３３７８７３号
【特許文献２】特開２００３−１８９９７９号
【特許文献３】特開平５−８４１２２号
【発明の概要】
【発明が解決しようとする課題】
【０００４】
しかし、特許文献１のクッションは、台形の中芯ピースを一列状態に並べたものであり、四角形に折り曲げる際、縫い目からなる折り曲げ部分やジョイント部分が重なりあい、この外側にはみ出した重なりによって生じるすわり心地の悪さと、角数を増すほど重なりが増えることできれいな形状の多角形にはし難いという難点があった。
また、特許文献２に記載された座布団は、着座部と、着座部よりも窪んだ窪み部とを備えた四角形であり、布団同様周囲全体が縫い込まれたものであることから、その形状を使用者にとって使い易い形状に変形させることは出来ないものであった。
さらに、特許文献３に記載されたクッションは、模様や図柄を合わせた六角形のクッションとするため、正三角形の９個のピースを隣接する２個一組にして折り曲げて六角形としたものであり、表裏を交互に折り曲げる際、各ピースの境目に乗り上げはみだし部が生じて、前記同様すわり心地の悪いものであった。
本発明は、このような課題を解決した三角形のクッションを提供することを主たる目的としたものである。
【課題を解決するための手段】
【０００５】
本発明のクッションは、中芯である台形状の中芯ピースを３個、隣接する中芯ピースの台形部がかみ合うように交互に配置し、これらを表布で覆って全周と中芯ピースの区切り部分である境目を縫い込んで１本の板状連結帯を構成し、この連結帯を各中芯ピースの区切り部分である折代で捻って同じ向きに折り曲げ、中央部に三角形状空間を備えた三角形とし、連結帯の重なる左右両端の重ね代を止め具で一体化させたクッションである。
【発明の効果】
【０００６】
３つの台形をした中芯ピースが一列状態に並んだ板状布団連結帯を各中芯ピースの区切り部分で捻って同じ向きに折り曲げて左右両端の表布部分相互で止めあわせ、真ん中に三角形状の空間ができた三角形状クッションであり、折り曲げ部分には表布のみからなる折代を用意して作りクッションの厚みを加味することで重なり部分の厚みを解消し、すわり心地が良くなり、三角形以上の多角形をしたクッションも作りやすくなり、表布の中に入れる中芯ピースの材料種類を広げることもできて、使用者の要求に沿ったクッションが提供できる。
【図面の簡単な説明】
【０００７】
【図１】台形状の中芯ピースが三つ一列状態に並んだ板状連結帯の平面図。
【図２】連結帯の折り曲げを示す図。
【図３】完成した三角形クッションを示す図。
【図４】クッションを縦側面から見た図。
【発明を実施するための形態】
【０００８】
以下、本発明のクッションの具体例を図面に沿って説明する。
長辺が５１ｃｍ、短辺が２６ｃｍ、幅２３ｃｍ、厚み約１０ｃｍの３つの台形をした中芯ピースａ、ｂ、ｃを、相互間に折代として６ｃｍの斜めの間隙を置いて交互に逆向きとして一列状態に並べる。これらの中芯ピース全てを表布で上下から覆い、台形の斜線にそれぞれ合わせてミシンで縫目１ａから１ｆを入れ、左右の両端外側に６ｃｍ幅の重ね代を設けた。中芯ピースを覆う表布はその上下の布を中芯ピースの厚み１０ｃｍの中央の５ｃｍの位置で縁縫いした。両端の重ねの前後の端に近い部分には止め具としてアメリカンホックの雄金具と雌金具を対応するよう２個ずつ設けた。これを図１に示し、以下これを板状の連結帯という。
図２はクッションの作成手順を示し、まずこの板状の連結帯を右端の中芯ピースａを隣のｂとの境目の折代で捻って山折（反時計周り）にする。次に中央のピースｂを同様に左側のピースｃに対して折代部分で捻って谷折（時計周り）にする。これによって左右両端の重ね代部分が重なり合う。この重ね代相互を前記のアメリカンホックの雄、雌金具で止めあう。
これにより図３に示す三角形のクッションが形成できる。なおこのクッションの中央部分には三角形状の空間（クッションのない部分）が自動的に作られる。
図４は、完成した三角形のクッションを縦の側面から見た図であり、折代と縫い目の有り様を示している。
なお、ここで説明した表布は綿、麻、絹、ポリエステル等通常のクッションカバー布を用いることができ、中芯ピースも真綿、合成繊維綿や発泡ポリスチロールなどクッション素材として市販されているものを用いることができる。
【産業上の利用可能性】
【０００９】
このような本発明のクッションは、三角形であることから簡単に組み立てでき、使用者が望む適当箇所、例えば椅子やソファーの上においてクッション機能を十分発揮してすわり心地よく用いることができる。
【符号の説明】
【００１０】
１    板状連結帯
ａ、ｂ、ｃ    台形の中芯ピース
１ａ、１ｂ、１ｃ、１ｄ、１ｅ，１ｆ  縫い目
２ａ、２ｂ、２ｃ、２ｄ    止め具
【図１】
2010172516.tif 000003
【図２】
2010172516.tif 000004
【図３】
2010172516.tif 000005
【図４】
2010172516.tif 000006